(57)【要約】      （修正有）【課題】無極性超広角車両用ＬＥＤ電球を提供する。【解決手段】台座１０と、Ｔ形ランプパネル２０と、ランプカバー３０とからなる。Ｔ形ランプパネル２０は、頂面及び両側にＬＥＤチップ２１が設けられ、ランプパネル２０下方に二つの電性ピン部品２２が接続されるとともに、台座１０の収容スペース１１中に設けられる。電性ピン部品２２は、台座１０の穿孔１５から突出するとともに台座１０の差込部１３の位置で折り曲げられて、電源と導通する無極性の電極ピンをなす。ランプカバー３０は、頂部及び周縁に複数の透孔３１が設けられるとともに、ランプパネル２０に被せられて台座１０と結合される。以上により、Ｔ形ランプパネル２０によって光源が前方及び左右方向へ射出されて、光源の照射角度が拡大されるため、ＬＥＤ電球の照明効果が高まる。またランプカバー３０の透孔３１により、良好な放熱効果、及び球体全周からの発光という照明効果が得られる。【選択図】図１
0003195393.tif 000002
【実用新案登録請求の範囲】
【請求項１】
台座と、Ｔ形ランプパネルと、ランプカバーとからなる無極性超広角車両用ＬＥＤ電球であって、
前記台座は、透光素材からなるとともに、内部に収容スペースを有し、前記収容スペースの開口側には結合部が設けられ、他側にはランプ台座コネクタの構造と対応した差込部が設けられ、
更に前記台座は、前記差込部両側のリブ頂端と対応する位置に、内部の前記収容スペースと連通した穿孔がそれぞれ設けられ、
前記Ｔ形ランプパネルは、電子回路板からなるとともに、前記台座の収容スペース内に設けられ、
更に前記Ｔ形ランプパネルの頂面及び両側には、いずれもＬＥＤチップが設けられ、前記Ｔ形ランプパネル下方には、前記台座の穿孔から突出した二つの電性ピン部品が設けられ、
前記電性ピン部品は、前記台座の差込部におけるリブ側壁とぴったり合うように予め折り曲げ加工されて、電源と導通する無極性の電極ピンをなし、
前記ランプカバーは、透光素材からなるカバー体であるとともに、頂部及び周縁に複数の透孔がそれぞれ設けられ、且つ前記ランプカバーはＴ形ランプパネル上方に被せられて前記台座の結合部と接合され、
以上の構造により、
頂面・側面のいずれもが発光源を有するＬＥＤ電球の構造をなすことで、光源の照射角度を拡大して、効果的に電球の照明効果を向上させることを特徴とする、無極性超広角車両用ＬＥＤ電球。
【請求項２】
前記台座の結合部は、フック状の構造を備えた係止体であり、
前記ランプカバーの側壁には、前記係止体と嵌合されるための嵌込溝が設けられることを特徴とする、請求項１に記載の無極性超広角車両用ＬＥＤ電球。
【請求項３】
前記台座の収容スペース側壁には、壁面を貫いた通孔が設けられることを特徴とする、請求項１に記載の無極性超広角車両用ＬＥＤ電球。
【考案の詳細な説明】
【技術分野】
【０００１】
本考案は、車両用ＬＥＤ電球に関し、特に車・バイクの照明器具、或いは類似した構造に用いられるとともに、前端及び側端がいずれも発光可能な、無極性超広角車両用ＬＥＤ電球に関する。
【背景技術】
【０００２】
ＬＥＤ（Ｌｉｇｈｔ  Ｅｍｉｔｔｉｎｇ  Ｄｉｏｄｅ、発光ダイオード）は、新世紀の照明において重要なファクターであるといえる。ＬＥＤは、使用寿命が長く、省エネ・低汚染である…等の特長を備えており、照明工業革命の要であるため、数多くの国が重点的に発展させるべき新産業としている。
【０００３】
一般的に、従来のＬＥＤ発光ダイオードは、以下の構造からなる。まず凹溝を備えた基礎台座が設けられ、凹溝内にはＬＥＤチップが結合され、更にＬＥＤチップは連結ワイヤーによってフレームと接続され、最後に透光層が射出成形されることにより、基礎台座・ＬＥＤチップ・連結ワイヤー・フレームが一体となるよう結合されて、ＬＥＤ発光ダイオードが完成する。
【０００４】
ＬＥＤの技術は日に日に進歩しており、現在市場では多くのＬＥＤ製品が見られる。これらの製品には、魅力的な種類や様式のものが数多くあり、枚挙に暇が無い。自動車産業について言えば、従来車両用に用いられていたタングステン電球は、消費電力が多くて発熱しやすく、消耗率が高い等の欠点があったため、徐々にＬＥＤ電球に取って代わられてきている。しかし、上述したＬＥＤ電球は、電源につないだ時、発光ダイオードのチップが基礎台座の凹溝中に結合されており、チップ周辺及び底面から射出される光が凹溝によって遮断・反射されてしまうため、チップが小さい角度の正面発光しかできず、周辺にはチップから発される光が届かない。よって、ＬＥＤ電球を車・バイク用の照明器具として利用した場合、従来の電球の拡散性と比較して、照明器具内に予め設けられた反射装置やコーティング層による照明増強効果を有効活用できないという欠点がある。
【０００５】
更に、従来のＴ形ＬＥＤ電球は外カバーが無く、ＬＥＤの取付時に人の手や道具に接触した場合、外カバーによる保護が無いため破損しやすい。加えて、従来のＬＥＤ電球の発光効果について言うと、従来のＴ形ＬＥＤ電球はＬＥＤチップが緊密に配列されておらず、ランプカバーの集光効果も悪く、点灯の際に球体の全周面において発光する効果を得ることができない。
【考案の概要】
【考案が解決しようとする課題】
【０００６】
そこで、本考案は、ＬＥＤ電球が正面発光だけでなく、側面発光することを可能にし、効果的に光源の照射角度を拡大することにより、ＬＥＤ電球の照明効果を高めることができる、無極性超広角車両用ＬＥＤ電球を提供することを目的とする。
【０００７】
また本考案は、良好な放熱効果を備えるとともに、効果的にＬＥＤの発光効率を向上させ、電球の使用寿命を延長することができる、無極性超広角車両用ＬＥＤ電球を提供することを目的とする。
【課題を解決するための手段】
【０００８】
上述の目的を達成するため、本考案の無極性超広角車両用ＬＥＤ電球は、台座と、Ｔ形ランプパネルと、ランプカバーとからなる。このうち、Ｔ形ランプパネルは、頂面及び両側にいずれもＬＥＤチップが設けられ、ランプパネル下方に二つの電性ピン部品が接続される。更にランプパネルは、台座の収容スペース中に設けられるとともに、ピン末端が台座の穿孔から突出する。またピン末端は、台座の差込部両側におけるリブの側壁とぴったり合うように予め折り曲げ加工されて、電源と導通する無極性の電極ピンをなす。前記ランプカバーは、頂部及び周縁に複数の透孔がそれぞれ設けられるとともに、ランプパネル上方に被せられて台座と結合される。以上の構造により、Ｔ形ランプパネルによって光源が前方及び左右方向へ射出されて、光源の照射角度が拡大されるだけでなく、緊密に配列されたＬＥＤから生じる光が重なり合うことにより、点灯した電球が球体の全周面から発光する配光形を生じる。
【考案の効果】
【０００９】
以上の構造によってなる本考案は、従来のＬＥＤ電球における『点発光』だけ、或いは『面発光』だけの配光形とは異なり、前方直射のＬＥＤから直接的に生じる照明効果に加えて、Ｔ形の両側に位置するＬＥＤからの光源が、取付けられた照明器具における反射コーティング層に投射され、照明器具内の反射コーティング層を余すところ無く利用することにより、ＬＥＤ電球の照明効果を高めることができる。更に、ランプカバーに設けられた透孔により、良好な放熱効果が得られ、電球の使用寿命を延長することができる。
【図面の簡単な説明】
【００１０】
【図１】本考案の実施例１における部品を示した分解図である。
【図２】本考案の実施例１の外観を示した斜視図である。
【図３】本考案の実施例１の組合せを示した断面図である。
【図４】本考案の実施例２におけるＴ形ランプパネルを示した概略図である。
【考案を実施するための形態】
【００１１】
（実施例１）
図１〜３を参照する。本考案の無極性超廣角車用ＬＥＤ電球１構造は、台座１０と、Ｔ形ランプパネル２０と、ランプカバー３０とからなる。このうち台座１０は、透光素材からなるとともに、内部に収容スペース１１を有し、収容スペース１１開口側には結合部１２が設けられ、他側にはランプ台座コネクタの構造と対応するように差込部１３が設けられる。更に、台座１０は、差込部１３両側のリブ１４頂端と対応する位置に、内部の収容スペース１１と連通した穿孔１５がそれぞれ設けられる。更に、収容スペース１１側壁には、壁面を貫いて放熱作用を生じるための通孔１６が設けられる。
【００１２】
Ｔ形ランプパネル２０は、電子回路板からなるとともに、台座１０の収容スペース１１内に設けられる。更にＴ形ランプパネル２０の頂面及び両側には、いずれもＬＥＤチップ２１が設けられる（実施例１では、３０１４規格のＬＥＤチップを用いるとともに、頂板には４個が配列され、側板両側にはそれぞれ２個が配列されて、全部で８個のＬＥＤチップが設けられている）。また、Ｔ形ランプパネル２０の下縁には、二つの電性ピン部品２２が接続される。電性ピン部品２２末端は、台座１０の穿孔１５から突出するとともに、台座１０の差込部１３におけるリブ１４側壁とぴったり合うように予め折り曲げ加工されて、電源と導通する無極性の電極ピンをなす。
【００１３】
ランプカバー３０は、透光素材からなるカバー体であるとともに、頂部及び周縁には複数の透孔３１がそれぞれ設けられ、且つＴ形ランプパネル２０上方に被せられて台座１０の結合部１２と接合される。実施例１において、台座１０の結合部１２はフック状の構造を備えた係止体１２ａであり、且つランプカバー３０側壁には係止体１２ａと対応する嵌込溝３２が設けられることにより、組合せの時にランプカバー３０と台座１０が互いにしっかりと嵌合される。また、この他の望ましい実施例として、台座１０とランプカバー３０の結合部分に互いに螺合可能なネジ山部が設けられて螺合方式で結合されるか、或いは、対応し合う階段状の嵌合縁が設けられて粘着剤で直接結合されるという方法も可能である（図示せず）。
【００１４】
以上により、本考案のＬＥＤ電球１をランプ台座に差込んで通電させた後、Ｔ形ランプパネル２０上に設けられたＬＥＤチップ２１は、ＬＥＤ電球１の頂端及び両側から光線を射出することができる。これにより、ＬＥＤ電球１全体から生じる光源の照射角度を拡大して、ＬＥＤ電球１の照明効果を高めることが可能になる。加えて、本考案のＬＥＤ電球１の台座１０及びランプカバー３０上には、空気を通すための通孔１６及び透孔３１がそれぞれ設けられることにより、より良好な放熱効果が得られるため、光が弱まっていくスピードを遅らせ、ＬＥＤの発光効率を向上させることが可能であり、電球の使用寿命を延長することができる。
【００１５】
（実施例２）
図４を参照する。実施例２において、本考案のＴ形ランプパネル２０には、より大きい規格サイズである５０５０のＬＥＤチップ２１ａが設けられる。この規格のＬＥＤチップ２１ａは、より大きい発光面を有しているため、Ｔ形ランプパネル２０上に設けられるＬＥＤチップ２１ａは３個だけである（頂板に１個、側板両側にそれぞれ１個）。この場合も、実施例１と同様に光源の照射角度を拡大し、照明効果を高めるという目的を達成することが可能である。
【符号の説明】
【００１６】
１            ＬＥＤ電球
１０   台座
１１   収容スペース
１２   結合部
１２ａ 係止体
１３   差込部
１４   リブ
１５   穿孔
１６   通孔
２０   Ｔ形ランプパネル
２１   ＬＥＤチップ
２１ａ ＬＥＤチップ
２２   電性ピン部品
３０   ランプカバー
３１   透孔
３２   嵌込溝
【図１】
0003195393.tif 000003
【図２】
0003195393.tif 000004
【図３】
0003195393.tif 000005
【図４】
0003195393.tif 000006